(57)【特許請求の範囲】
【請求項１】
少なくとも１つの透明薄膜トランジスタ（ＴＦＴ）表示ユニットおよび／または層、および／または、少なくとも１つの透明有機発光ダイオード（ＯＬＥＤ）表示ユニットおよび／または層を含む、少なくとも１つの、透明または半透明の表示層（５、５’、５”）と、
印加された入力信号に依存してその透明度を修正させるように構成および適合され、前記表示層の前および／または後ろに少なくとも部分的に配置された、少なくとも１つの修正可能層（７、７’、７”、７'''）とを含み、
光を発するように構成および適合された少なくとも１つの発光層（３３）をさらに含み、
前記発光層（３３）は、前記発光層（３３）の縁のうちの少なくとも１つで照射された光を拡散し、前記発光層（３３）の縁のうちの少なくとも１つで照射された光を、少なくとも実質的に他の層（３、３’５、５’、７、７’、７”、９、９’、１１、１３）のうちの少なくとも１つへ向かう方向に発するように構成および適合された構造を有し、
前記修正可能層（７、７’、７”、７'''）は、印加された電圧に依存してその透明度を修正するように構成および適合され、前記修正可能層（７、７’、７”、７'''）は、エレクトロクロミック層であり、またはエレクトロクロミック層を含み、
前記修正可能層（７、７’、７”、７'''）は、印加された入力信号に依存して、透明、半透明、不透明の間で可逆的に切替わるように構成および適合され、
前記少なくとも１つの修正可能層（７、７’、７”、７'''）は、
インジウムスズ酸化物を含むかまたはそれからなる第１の層（１１）と、
透明性変化層を含むかまたはそれからなり、ポリマーおよび／または液晶を含むかまたはそれからなる第２の層（１３）と、
インジウムスズ酸化物を含むかまたはそれからなる第３の層（１５）とを、この順序で含み、
前記第２の層（１３）は、前記第１の層（１１）と前記第３の層（１５）との間に少なくとも部分的に配置され、
前記発光層（３３）は、第１の修正可能層（７、７’、７”、７'''）と第２の修正可能層との間に配置され、
前記少なくとも１つの発光層（３３）は、ストライプの形をした発光ダイオード、有機発光ダイオード、および／または冷陰極蛍光ランプを含む、表示装置（１、１’、１”、１'''、１ＩＶ、１Ｖ）。
【請求項２】
前記少なくとも１つの修正可能層は膜またはフォイル層である、請求項１に記載の表示装置（１、１’、１”、１'''、１ＩＶ、１Ｖ）。
【請求項３】
前記発光層（３３）は、調光可能であるように、および／または透明であるように構成および適合されている、、請求項１または２に記載の表示装置（１、１’、１”、１'''、１ＩＶ、１Ｖ）。
【請求項４】
前記修正可能層（７、７’、７”、７'''）は、表示層（５、５’、５”）に隣接して、または直接接触して位置していることを特徴とする、請求項１から３のいずれか１項に記載の表示装置（１、１’、１”、１'''、１ＩＶ、１Ｖ）。
【請求項５】
前記修正可能層（７、７’、７”、７'''）は、少なくともガラス支持体の一部および／または前記表示層（５、５’、５”）の一部の上に積層されていることを特徴とする、請求項１から４のいずれか１項に記載の表示装置（１、１’、１”、１'''、１ＩＶ、１Ｖ）。
【請求項６】
前記少なくとも１つの修正可能層（７、７’、７”、７'''）および／または前記少なくとも１つの発光層（３３）は、前記表示装置（１、１’、１”、１'''、１ＩＶ、１Ｖ）の層のうちの少なくとも１つの上に、コーティングされ、または蒸着されている、請求項１から５のいずれか１項に記載の表示装置（１、１’、１”、１'''、１ＩＶ、１Ｖ）。
【請求項７】
前記少なくとも１つの修正可能層（７、７’、７”、７'''）および／または前記少なくとも１つの発光層（３３）は、前記少なくとも１つの表示層（５、５’、５”）、少なくとも１つの保護層（３、３’）、および／または少なくとも１つの絶縁層（９、９’）の上にコーティングされ、または蒸着されている、請求項６に記載の表示装置（１、１’、１”、１'''、１ＩＶ、１Ｖ）。
【請求項８】
少なくとも１つの保護層（３、３’）および少なくとも１つの絶縁層（９、９’）をさらに含む、請求項１から７のいずれか１項に記載の表示装置（１、１’、１”、１'''、１ＩＶ、１Ｖ）。
【請求項９】
前記表示層（５、５’、５”）は、少なくとも第１の保護層（３、３’）と少なくとも第２の保護層（３、３’）との間、前記少なくとも１つの保護層（３、３’）と前記少なくとも１つの絶縁層（９、９’）との間、および／または少なくとも第１の絶縁層（９、９’）と少なくとも第２の絶縁層（９、９’）との間に、少なくとも部分的に配置され、
前記保護層（３、３’）、前記発光層（３３）、および／または前記絶縁層（９、９’）は、少なくとも部分的に透明であり、および／または
前記保護層（３、３’）および／または前記絶縁層（９、９’）は、ガラスを含むかまたはガラスからなることを特徴とする、請求項８に記載の表示装置（１、１’、１”、１'''、１ＩＶ、１Ｖ）。
【請求項１０】
前記表示装置（１、１’、１”、１'''、１ＩＶ、１Ｖ）の個々の層は、保護層（３、３’）が第１の層、前記表示層（５、５’、５”）が第２の層、前記修正可能層（７、７’、７”、７'''）が第３の層、絶縁層（９、９’）または別の保護層（３、３’）が第４の層という順序で配置され、前記少なくとも１つの発光層（３３）が、第１の層、第２の層、第３の層および／または第４の層の間に配置され、もしくは、前記少なくとも１つの発光層（３３）は、前記第１の層の前または前記第４の層の後ろに配置された第５の層である、請求項１から９のいずれか１項に記載の表示装置（１、１’、１”、１'''、１ＩＶ、１Ｖ）。
【請求項１１】
前記表示装置（１、１’、１”、１'''、１ＩＶ、１Ｖ）の個々の層は、保護層（３、３’）が第１の層、表示層（５、５’、５”）が第２の層、絶縁層（９、９’）または別の保護層（３、３’）が第３の層、および／または前記修正可能層（７、７’、７”、７'''）が第４の層、前記発光層（３３）が第５の層、前記絶縁層（９、９’）、前記別の保護層（３、３’）および／または前記修正可能層（７、７’、７”、７'''）が第６の層という順序で配置される、請求項１から１０のいずれか１項に記載の表示装置（１、１’、１”、１'''、１ＩＶ、１Ｖ）。
【請求項１２】
前記修正可能層（７、７’、７”、７'''）はｎ個の区域（３３）を含み、ｎとは２以上の整数であり、それにより、前記修正可能層（７、７’、７”、７'''）の区域（３５）のうちの少なくとも２つは各々、その透明度を独立して変化させるように構成および適合され、
前記修正可能層の区域（３５）は、前記区域（３５）の縁に位置する、より高い抵抗を有する前記区域（３５）の一部によって分離されていることを特徴とする、請求項１から１１のいずれか１項に記載の表示装置（１、１’、１”、１'''、１ＩＶ、１Ｖ）。
【請求項１３】
少なくとも２つの保護層（３、３’）、少なくとも２つの前記表示層（５、５’、５”）、少なくとも２つの前記修正可能層（７、７’、７”、７'''）、少なくとも２つの絶縁層（９、９’）、および／または少なくとも２つの前記発光層（３３）をさらに含み、
それにより、前記少なくとも２つの保護層（３、３’）、前記少なくとも２つの表示層（５、５’、５”）、前記少なくとも２つの修正可能層（７、７’、７”、７'''）、前記少なくとも２つの絶縁層（９、９’）、および／または前記少なくとも２つの発光層（３３）の間に、前記表示装置（１、１’、１”、１'''、１ＩＶ、１Ｖ）の他の層のうちの少なくとも１つを配置することができる、請求項１から１２のいずれか１項に記載の表示装置（１、１’、１”、１'''、１ＩＶ、１Ｖ）。
【請求項１４】
請求項１から１３のいずれか１項に記載の少なくとも１つの前記表示装置（１、１’、１”、１'''、１ＩＶ、１Ｖ）を含む、クーラー（２１、２１’）のためのドアまたはカバープレート（１７、１７’、１７”）。
【請求項１５】
請求項１〜１３のいずれか１項に記載の前記表示装置（１、１’、１”、１'''、１ＩＶ、１Ｖ）を含み、および／または、請求項１４に記載の前記ドアまたはカバープレート（１７、１７’、１７”）を含む、クーラー（２１、２１’）。
【発明の詳細な説明】
【技術分野】
【０００１】
説明
この発明は、表示装置、この発明に従った表示装置を含むドアまたはカバープレート、ならびに、この発明に従ったドアまたはカバープレートおよび／または表示装置を含むクーラーに関する。
【背景技術】
【０００２】
透明ディスプレイは、従来技術で公知である。たとえばインジウムスズ酸化物（indium tin oxide：ＩＴＯ）といった透明半導体および透明電極を使用することにより、たとえば薄膜トランジスタ（Thin-Film-Transistor：ＴＦＴ）ディスプレイを完全に透明にすることができる。
【０００３】
ＵＳ２０１０／０３０９４２０  Ａ１は、ＴＦＴのドレイン電極に接続された、ＴＦＴの透明基板上に形成された透明画素電極を含む液晶表示装置を開示している。
【０００４】
公知の透明ディスプレイの１つの欠点は、公知の透明ディスプレイのコントラストが弱く、それぞれの設置側でのディスプレイの背景に依存する、ということである。特に、そのような透明ディスプレイが異なる形状および色の物体の前で使用される場合、前記透明ディスプレイ上に表示された物体のコントラストは著しく変化する。その結果、そのような透明ディスプレイの最良の使用は、白黒の背景とのみ組合せることである。
【０００５】
また、スマートガラス、すなわち切替え可能なガラスが、従来技術で公知である。スマートガラスは、電圧が印加されると、その光透過特性を変化させる。一般に、電圧がそのようなスマートガラスに印加される場合、スマートガラスは不透明から半透明まで変化する。
【０００６】
一般に、スマートガラスは、エレクトロクロミック装置、懸濁粒子装置、マイクロブラインド、または液晶装置を含み得る。スマートガラスの例は、ＤＥ  １９８  ２８  ６３０  Ａ１、およびＤＥ  １０  ２０１１  ０１５  ９４９  Ａ１に開示されている。スマートガラスの他のタイプの実現化も可能であることは、当業者には明らかである。
【０００７】
そのようなスマートガラスを、会議室などでプライバシーを提供するために使用することが、従来技術で公知である。加えて、そのようなスマートガラスを、たとえば不透明に切替えて、プロジェクタ用投影スクリーンを提供するために使用する他の用途が、従来技術で公知である。
【０００８】
加えて、そのようなスマートガラスを家電製品のドア内で、特に冷蔵庫のドア内で使用することが、ＪＰ  ０４０５２４８８  Ａから公知である。
【０００９】
この発明の意味では、クーラーという用語は、冷蔵庫、冷却ボックスなどといったあらゆる冷却装置を代表するはずである。
【００１０】
公知の従来技術に鑑みて、そのような透明ディスプレイを背景から独立して使用できることが、有利であろう。
【発明の概要】
【発明が解決しようとする課題】
【００１１】
この発明の目的はしたがって、従来技術の欠点を克服し、設置側でのその背景から独立して使用可能な透明表示装置を提供することである。
【００１２】
この発明の別の目的は、高いコントラストおよび低い透明性を必要に応じて有する透明表示装置を提供することである。
【課題を解決するための手段】
【００１３】
この目的は、少なくとも１つの、特に透明または半透明の表示層と、印加された入力信号に依存してその透明度を修正させるように構成および適合され、前記表示層の前および／または後ろに少なくとも部分的に配置された、少なくとも１つの修正可能層、特にフィルムおよび／またはフォイル層とを含む、表示装置によって達成される。
【００１４】
この発明の意味での層は、プレートなどであってもよい。修正可能層は、一実施形態では、透明度が修正可能な層であってもよい。この発明の意味では、透明性の修正は、たとえば、修正可能層の透明性が変化することを意味し得る。さらに、修正可能層は、一実施形態では、エレクトロクロミック層であってもよい。
【００１５】
この発明の表示装置は、いくつかの異なる動作モードを可能にする。第１の動作モードでは、表示装置自体が透明であり、特に、観察者には普通の窓または透明プレートのように見える。この動作モードでは、透明表示層は非活動状態であり、修正可能層は、特に完全に透明になるように切替えられる。第２の動作モードでは、透明表示層は起動され、たとえば、画像、テキスト、映画などを表示する。透明表示層の透明性により、透明表示層の後ろの背景が見える。そのような透明表示層が起動された場合の透過率は２０％、コントラストは５００：１となり得るということは、従来技術で公知である。
【００１６】
第３の動作モードでは、フィルムまたはフォイル層はその透明度を透明から不透明へと変化させてもよい。修正可能層は、透明と不透明との間の任意の透明度、たとえば半透明へと連続的に変化可能であることは、当業者には明らかである。修正可能層は、透明または半透明でない間、白、黒、緑、青といった異なる色に色づけられてもよいことも、当業者には明らかである。好ましくは、修正可能層は、観察者にとって白いプレートのように見えるまで、より白い色調になることによって、その透明度を透明から不透明へと変化させてもよい。第４の動作モードでは、表示層は起動され、修正可能層は不透明に切替えられる。完全な透明から不透明までの、およびその逆の切替わり時間は１０ミリ秒以下であることが、好ましい。この動作モードでは、透明表示層のコントラストが高い。これは、不透明に切替えられた修正可能層が、透明表示層のための背景を提供し得るという事実による。
【００１７】
したがって、この発明に従った透明表示層と修正可能層との組合せを使用することにより、表示要素のコントラストを必要に応じて向上させることが可能である。その結果、透明表示ユニット上での要素の表示は、そのような表示装置の設置側の背景から独立するようになる。
【００１８】
この発明の別の好ましい実施形態では、修正可能層は、印加された電圧に依存してその透明度を修正するように構成および適合され、修正可能層は特に、エレクトロクロミック層であり、またはエレクトロクロミック層を含む。
【００１９】
電圧は、一実施形態では、入力信号の一部を表わし、または入力信号の一部であり得る。
【００２０】
この発明の別の好ましい実施形態では、修正可能層は、好ましくは印加された入力信号に依存して、透明、半透明、不透明および／または白の間で可逆的に切替わるように構成および適合されている。
【００２１】
印加される入力信号によって修正可能層の透明度を制御することが、好ましい。入力信号、好ましくは入力電圧に依存して、修正可能層の透明度を容易に変化させることができる。
【００２２】
好ましい一実施形態によれば、修正可能層は、好ましくは印加された入力信号に依存して、透明、半透明、不透明および／または白の間で可逆的に切替わるように構成および適合されている。この発明の一実施形態では、修正可能層は、透明と不透明との間で切替え可能である。この発明のさらに別の実施形態では、修正可能層は、透明と白との間で切替え可能である。
【００２３】
好ましい一実施形態によれば、修正可能層は、少なくとも１つの層が長鎖分子、特にポリマー鎖、および／または、主鎖および／または側鎖を有する分子を含む層系を含むかまたはそれからなる。
【００２４】
修正可能層のそのような層系は有利であることが分かっている。特に、長鎖分子、好ましくはポリマー鎖、および／または、より長い主鎖および／または側鎖を有する分子を含む層系は、修正可能層がその透明度を変化させることを可能にするために、優れた結果を示す。
【００２５】
また、この発明のさらに別の実施形態では、修正可能層は、表示層に隣接して位置している。隣接するとは、この発明の一実施形態では、直接配置されることとして理解され得る。
【００２６】
また、この発明のさらに別の実施形態では、修正可能層は、少なくともガラス支持体の一部および／または表示層の一部の上に積層されている。
【００２７】
透明表示層の近くに修正可能層を位置付けることは、修正可能層が半透明または不透明に切替えられた場合に透明ディスプレイのコントラストを上げるために有利であり得る。さらに、支持体、好ましくはガラス支持体上に修正可能層を積層することは、有益であり得る。透明表示層と修正可能層との間の距離を最小限にするには、この発明の一実施形態によれば、修正可能層を透明表示層上に、特にガラス支持体、および／または透明表示層の他の部分の上に直接積層することが、最も有利であるかもしれない。それにより、修正可能層が不透明に切替えられる場合、最大のコントラストが達成可能である。
【００２８】
加えて、第２の層は、第１の層と第３の層との間に少なくとも部分的に配置されていることが、有利であり得る。
【００２９】
さらに、少なくとも１つの修正可能層は、インジウムスズ酸化物を含むかまたはそれからなる第１の層と、特に透明性変化層を含むかまたはそれからなり、ポリマーおよび／または液晶を含むかまたはそれからなる第２の層と、インジウムスズ酸化物を含むかまたはそれからなる第３の層とを、特にこの順序で含むことが、有利であり得る。
【００３０】
インジウムスズ酸化物は、修正可能層が透明になるために必要とされる透明電極を実現する可能性を提供する。ポリマーおよび／または液晶を含むかまたはそれからなる第２の層は、特にインジウムスズ酸化物層に印加される電圧に依存して、修正可能層の透明度を変化させることを可能にする。さらに、これらのタイプの層の助けにより、異なる透明度間での迅速な切替えが提供可能である。加えて、そのような層は、長い寿命を提供する。
【００３１】
この発明の別の好ましい実施形態では、表示層は、少なくとも１つの透明薄膜トランジスタ表示ユニットおよび／または層、および／または、少なくとも１つの透明有機発光ダイオード表示ユニットおよび／または層を含む。
【００３２】
透明薄膜トランジスタ表示ユニットおよび／または層、および／または、少なくとも１つの透明有機発光ダイオード表示ユニットおよび／または層は、透明表示層に使用するのに有益であることが分かっている。
【００３３】
加えて、表示装置は、少なくとも１つの保護層および／または少なくとも１つの絶縁層を含むことが、有利であり得る。
【００３４】
加えて、表示装置は、光を発するように構成および適合された少なくとも１つの発光層を含み、特に、少なくとも１つの発光層は、特にストライプの形をした発光ダイオード、有機発光ダイオード、および／または冷陰極蛍光ランプを含み、好ましくは発光層は、調光可能であるように、および／または透明であるように構成および適合され、および／または、発光層は、光を拡散し、特に発光層の縁のうちの少なくとも１つで照射された光を拡散し、好ましくは発光層の縁のうちの少なくとも１つで照射された光を、少なくとも実質的に他の層のうちの少なくとも１つへ向かう方向に発するように構成および適合された構造を有する、ということが有利であり得る。
【００３５】
例示的に、発光層は、発光層へと照射された光の散光器として作用することが、有利であり得る。それにより、少なくとも発光層のへりの１つの側に照光ユニットを配置することが可能であり得る。それに代えて、またはそれに加えて、この発明の一実施形態では、発光ダイオード、特に透明発光ダイオードを、発光層の表面上に、および／または発光層の一体部品として一体化することが、有利であり得る。
【００３６】
発光層を使用することにより、表示層のコントラストを活発に変化させることができる。さらに、好ましくは表示層上に表示された内容に加えて、照明効果を表示装置上にもたらすことが、可能であり得る。間隔を置かれた表示装置の層のうちの２つの助けにより、表示装置内に照明効果をもたらすために、発光層の両側の隣に配置された外部光源を使用することが可能である。
【００３７】
加えて、少なくとも１つの発光層および／または表示装置は、保護層および／または絶縁層のへりに沿った、好ましくは保護層および／または絶縁層の前面および／または後面に施された、ストライプ、特に、発光ダイオード、有機発光ダイオード、および／または冷陰極蛍光ランプを含むストライプをさらに含むことが、有利であり得る。
【００３８】
この発明の一実施形態では、発光層は、たとえばストライプなどの形で、表示装置の角および／またはへりの隣にのみ配置可能である。さらに、一実施形態では、発光層は、特にストライプの形で、表示装置の１つ、２つ、および／または３つの側にのみ、好ましくは表示装置の角および／またはへりの隣に配置されることが、利点であり得る。
【００３９】
また、この発明のさらに別の実施形態では、少なくとも１つの修正可能層および／または少なくとも１つの発光層は、ある層の上に、特に、表示層、保護層および／または絶縁層の上にコーティングされ、および／または蒸着されている。
【００４０】
少なくとも１つの修正可能層および／または少なくとも１つの発光層を、表示装置の少なくとも１つの他の層の上に直接コーティングし、および／または蒸着することが、有利であるかもしれない。特に、少なくとも１つの修正可能層を表示層、保護層および／または絶縁層の上に直接コーティングし、および／または蒸着することによって、少なくとも１つの修正可能層を表示層の近くに配置し、特に、表示層のコントラストを最適化し、および／または生産コストを下げることが、有利であるかもしれない。
【００４１】
加えて、ディスプレイは、少なくとも第１の保護層と少なくとも第２の保護層との間、少なくとも１つの保護層と少なくとも１つの絶縁層との間、および／または少なくとも第１の絶縁層と少なくとも第２の絶縁層との間に、少なくとも部分的に配置されていることが、有利であり得る。
【００４２】
これは、透明表示層が少なくともその側のうちの１つで保護層によって保護されている場合に、透明表示層を保護するのに特に有益である。さらに、ドア、カバープレート、または窓におけるこの発明に従った表示ユニットの使用のために、表示ユニットの一方側から他方側への熱伝導を減少させるために絶縁層を使用することは、有用であり得る。
【００４３】
また、この発明のさらに別の実施形態では、保護層および／または絶縁層は、少なくとも部分的に透明である。
【００４４】
また、この発明のさらに別の実施形態では、保護層および／または絶縁層は、ガラスを含むかまたはガラスからなる。
【００４５】
この発明によれば、保護層および／または絶縁層のために透明材料を使用することは、完全に透明な表示ユニットを必要に応じて提供することを可能にするのに有用である。
【００４６】
好ましい一実施形態によれば、表示装置の個々の層は、保護層が第１の層、表示層が第２の層、修正可能層が第３の層、絶縁層または別の保護層が第４の層という順序で配置され、特に、少なくとも１つの発光層が、第１の層、第２の層、第３の層および／または第４の層の間に配置され、もしくは、少なくとも１つの発光層は、第１の層の前または第４の層の後ろに配置された第５の層であり、特に、少なくとも２つの隣接する層が互いに接触している。
【００４７】
表示装置の個々の層は、保護層が第１の層、表示層が第２の層、修正可能層が第３の層、絶縁層が第４の層という順序で配置され、特に、少なくとも１つの発光層が、第１の層、第２の層、第３の層および／または第４の層の間に配置され、もしくは、少なくとも１つの発光層は、第１の層の前または第４の層の後ろに配置された第５の層であり、特に少なくとも２つの隣接する層が互いに接触している。
【００４８】
少なくとも１つの発光層の使用により、追加の照明効果が提供可能である。少なくとも１つの発光層の位置に依存して、表示層のコントラストを弱くしたり強くしたりすることが可能である。
【００４９】
別の好ましい実施形態によれば、表示装置の個々の層は、保護層が第１の層、表示層が第２の層、絶縁層または別の保護層が第３の層、および／または修正可能層が第４の層、発光層が第５の層、絶縁層、別の保護層および／または修正可能層が第６の層という順序で配置され、特に、少なくとも２つの隣接する層が互いに接触している。
【００５０】
層のこの配置は、表示層が絶縁層のより近くに配置され、したがって一方では、顧客の好みに依存して発光層を生産プロセスで追加できる、という事実により、有利であり得る。さらに、２つの絶縁層の助けにより、表示装置の隔離が向上し得る。
【００５１】
加えて、発光層は、修正可能層とさらに別の修正可能層との間に配置されていることが、有利であり得る。
【００５２】
この配置は、発光層によって目がくらむことのないようにユーザを保護するのに特に有利である。ユーザが表示装置の後ろ側にいる場合、たとえば、表示層および修正可能層の後ろの層ならびに発光層の可能な配置のうちの１つによれば、発光層が明るすぎることがある。さらに別の修正可能層の助けにより、表示装置の後ろ側を見ながら発光層の輝度を減少させることが可能である。表示装置が暗い環境で使用される場合、これは特に適切である。
【００５３】
また、この発明のさらに別の実施形態では、第１の層、第２の層、第３の層および／または第４の層の間に、少なくとも１つの追加層が配置され、もしくは、第１の層、第２の層、第３の層および／または第４の層の間に、追加層は配置されない。
【００５４】
この発明に従った表示ユニットの層のこの配置は、透明表示層が保護層によって保護されており、また、透明表示層の後ろに配置された修正可能層の透明度に依存して、透明表示層のコントラストを必要に応じて上げることができる、という事実により、有利である。絶縁層の助けにより、表示ユニットからの一方側から他方側への熱伝導を、さらに著しく減少させることができる。
【００５５】
また、この発明のさらに別の実施形態では、修正可能層は少なくとも２つの区域、特にｎ個の区域を含み、それにより、修正可能層の区域のうちの少なくとも２つ、好ましくはすべては各々、その透明度を独立して変化させるように構成および適合されている。
【００５６】
この発明に鑑みて、ｎ個の区域とは、たとえば、２個、３個、４個、５個、６個、７個、８個、９個、１０個、１１個、１２個、１３個、１４個、１５個、１６個、１７個、１８個、１９個、２０個、またはより多くの区域であり得る。
【００５７】
互いから独立して機能するように構成および適合された複数の区域へと分離された、そのような修正可能層を使用することによって、異なる有利な動作モードで機能するように表示装置を構成することが可能である。それにより、修正可能層の区域のうちの少なくとも１つが透明に切替えられる一方で、修正可能層の他の区域のうちの少なくとも１つが不透明に切替えられる、ということが可能であるかもしれない。たとえば、修正可能層のある領域のみを不透明に切替えるだけで、表示装置の一部のコントラストを上げることが可能であり得る。それにより、たとえば、表示装置のある領域上で、修正可能層の区域が透明であることによって、表示装置の背景をユーザに示す一方で、表示層の他の部分は、不透明に切り替えられている修正可能層の区域と組合されて機能することにより、高いコントラストを有する、ということが可能である。
【００５８】
そのような区域は好ましくは、より高い抵抗を有するこれらの区域の一部によって提供可能である。修正可能層のある区域がその透明度を変化させなければならない場合、印加電圧は、より高い抵抗を有する前記区域の一部上で降下し、したがって、電圧は次の区域を起動できないであろう。一般に、電圧は例示的に、修正可能層の縁に、区域ごとに独立して印加され得る。前記区域のそのような抵抗がより高い一部を提供するために、たとえば、修正可能層は独立した断片へと切断され、その後、特に接着によって再度組立てられ得る。
【００５９】
また、この発明のさらに別の実施形態では、表示装置は、少なくとも２つの保護層、少なくとも２つの表示層、少なくとも２つの修正可能層、少なくとも２つの絶縁層、および／または少なくとも２つの発光層を含んでいてもよく、それにより特に、少なくとも２つの保護層、少なくとも２つの表示層、少なくとも２つの修正可能層、少なくとも２つの絶縁層、および／または少なくとも２つの発光層の間に、表示装置の他の層のうちの少なくとも１つを配置することができる。
【００６０】
前記層のうちの少なくとも２つの助けにより、いくつかの実施形態が可能である。たとえば、表示層の各側に第１の修正可能層を配置して、表示層の一部のみをユーザに示されるように提供し、一方、さらに別の修正可能層が透明表示層の後ろで不透明に切替わったために、示された表示層の一部のコントラストが高い、ということが可能である。もちろん、ユーザにとって異なる視覚効果をもたらすために、層のうちの２つ以上またはすべてを使用する他のいくつかの有利な実施形態が使用可能である。
【００６１】
また、この発明のさらに別の実施形態では、表示装置はフレームを含んでいてもよく、少なくとも１つの表示装置は、前記フレームによって保持されている。
【００６２】
この発明の問題はまた、この発明に従った少なくとも１つの表示装置を含む、特にクーラー用のドアまたはカバープレートによって解決される。
【００６３】
この発明の好ましい一実施形態では、この発明に従った少なくとも１つの表示装置は、ドアまたはカバープレートに有益に一体化され得る。
【００６４】
この発明の別の好ましい実施形態では、ドアまたはカバープレートは、表示装置上に表示される映像、画像、および／または技術情報、好ましくは温度を提供するように構成および適合された、少なくとも１つの媒体装置を含む。
【００６５】
これは、ドアまたはカバープレートには電源だけを提供すればよく、一方、画像、テキスト、映画などを表示するための他の技術装置はすでにドアに直接一体化され得る、という事実により、有利である。
【００６６】
また、この発明のさらに別の実施形態では、ドアまたはカバープレートは、少なくとも１つの照光ユニット、特に、少なくとも１つの配光ユニットを含む照光ユニットを含み、好ましくは照光ユニットは、調光可能であるように構成および適合されている。
【００６７】
この発明の別の好ましい実施形態では、ドアまたはカバープレートは、好ましくは、表示層、修正可能層、保護層、絶縁層、および／または発光層を照らすように構成および適合され、好ましくはＬＥＤレールを含む、少なくとも１つの照明装置、特にＬＥＤ照明を含み、特に、少なくとも１つの照明装置は、発光層のうちの少なくとも１つのへりに配置され、および／または、少なくとも１つの照明装置は、少なくとも１つの保護層および／または絶縁層に隣接して、特に直接接触して位置している。
【００６８】
加えて、ドアまたはカバープレートは、好ましくは、透明表示層および／または修正可能層を照らすように構成および適合された照明装置、特にＬＥＤ照明を含むことが、有利であり得る。
【００６９】
そのような照光ユニットの助けにより、ドアまたはカバープレートの追加の照明が、たとえば、透明表示層または修正可能層の背面照明として実現され得る。ＬＥＤ照明は、エネルギー消費が低いため、有益であり得る。
【００７０】
また、この発明のさらに別の実施形態では、ドアまたはカバープレートは、好ましくは金属を含むかまたは金属からなり、特に表示装置を縁取る、少なくとも１つのドアフレームを含み、少なくとも１つのドアシール、少なくとも１つの照明装置、少なくとも１つの媒体装置、少なくとも１つのコンピュータ、および／または少なくとも１つの電源が、フレーム内に配置されている。
【００７１】
そのような金属フレームは、いくつかの適用区域に、ドアまたはカバープレートにとって有利である電気装置を配置し、部品、ドアシール、および他の、特に非透明装置を搭載するために必要とされる空間を提供できる。
【００７２】
また、この発明のさらに別の実施形態では、照光ユニットおよび／または照明装置の少なくとも１つのＬＥＤレール、ＯＬＥＤレール、および／または発光体が、ドアフレーム内に配置され、および／またはドアフレームによって保持され、発光層（３３）、保護層および／または絶縁層および／またはクーラーを少なくとも部分的に照らすように構成および適合され、それにより、好ましくは、照光ユニットおよび／または照明装置の少なくとも１つのＬＥＤレール、ＯＬＥＤレール、および／または発光体は、ドアまたはカバープレートのへりの少なくとも１つの側、好ましくは少なくとも２つの側に、特に少なくとも部分的に配置されている。
【００７３】
加えて、照光ユニットおよび／または照明装置の少なくとも１つのＬＥＤレール、ＯＬＥＤレール、および／または発光体は、発光層、保護層、表示層、および／または絶縁層のへりで光を照射するように適合および構成され、および／または、照光ユニットおよび／または照明装置の少なくとも１つのＬＥＤレール、ＯＬＥＤレール、および／または発光体は、特にドアまたはカバープレートが閉じた位置にある場合に、クーラーへと光を照射するように適合および構成されていることが、有利であり得る。
【００７４】
さらに、この発明は、この発明に従った表示装置を含み、および／または、この発明に従ったドアまたはカバープレートを含む、クーラーを提供する。
【００７５】
この発明に従ったそのようなドアまたはカバープレート、もしくはそのような表示装置を有するクーラーは、顧客がクーラー内の製品を見ることを可能にし、透明スクリーン上に追加情報を提供し、および／または顧客がクーラーの内部空間内を直接見ることを禁止する、異なる動作モードを可能にする。
【００７６】
最後に、この発明は、その透明度を変化させるように構成および適合された少なくとも１つの修正可能層を含む、クーラーであって、修正可能層は、印加された入力信号、好ましくは印加された電圧に依存して、その透明度を変化させるように構成および適合され、特に修正可能層は、好ましくは印加された入力信号に依存して、透明、半透明、不透明および／または白の間で切替わるように構成および適合され、好ましくは、修正可能層は、長鎖分子、特にポリマー鎖、および／または、より長い主鎖および／または側鎖を有する分子を含む層系を含むかまたはそれからなり、好ましくは、修正可能層は、ポリカーボネート樹脂および／または透明樹脂フィルム、特にエポキシ樹脂フィルムおよび／またはアクリル樹脂フィルムを含むかまたはそれからなり、特に、この発明に従った表示装置を含み、および／または、この発明に従ったドアまたはカバープレートを含む、クーラーを提供する。
【００７７】
そのようなクーラーは、ユーザにクーラーの内部空間を見せるか否かを必要に応じて決めることを可能にする。これは、購入可能な製品に依存して、および／または、たとえばクーラーの設置側に依存して、視覚またはマーケティング上の理由で有用かもしれない。
【００７８】
さらに、この発明の一実施形態によれば、表示装置用の少なくとも１つの媒体装置および／または少なくとも１つの電源が、この発明に従ったクーラーのうちの少なくとも１つの後ろ側に配置されている。
【００７９】
この発明の驚くべき技術的効果は、表示装置の透明表示層のコントラストを、その透明度を変化させるように構成および適合され、それにより表示層の前または後ろに少なくとも部分的に配置された修正可能層と、透明表示層とを組合わせることによって、著しく上げることができる、ということである。
【００８０】
透明表示層は従来技術で公知であるが、そのような透明表示層のコントラストは、設置側の背景に常に制限される。そのような透明表示層の設置側に依存して、コントラストが非常に弱い場合がある。これは、透明表示層に要素をそのような弱いコントラストで表示するために、要素が観察者にはほとんど認識できない、ということをもたらすかもしれない。この発明に従ったそのような透明表示層と修正可能層との組合せを使用することにより、表示要素のコントラストを必要に応じて向上させることが可能である。その結果、透明表示ユニット上での要素の表示は、背景から独立するようになる。さらに、異なる動作モードが提供可能である。
【００８１】
この発明に従った表示装置は、少なくとも４つの異なる動作モードを可能にする。第１の動作モードでは、表示装置は普通の窓または透明ガラスのように作用する。第２の動作モードでは、透明表示層上に要素が示され得る。第３の動作モードでは、修正可能層はその透明度を、ユーザが表示装置を見通すのを禁止するに至るまで変化させることができる。第４の動作モードでは、所望のコントラストが達成されるまで修正可能層の透明度を減少させることにより、透明表示層のコントラストを上げることができる。また、表示層のコントラストを必要に応じて強くしたり弱くしたりするために、発光層を提供することが可能であるかもしれない。調光可能な発光層を使用することにより、さらなる照明効果が実現可能である。
【００８２】
それにより、修正可能層を、互いから独立して機能できるように構成および適合された異なる区域に分離することが可能であり得る。さらに、表示装置の各層の２つ以上を使用することが、有利であり得る。たとえば、表示層の各側で１つの修正可能層を使用することにより、修正可能層を部分的に不透明に切替えることによって表示層の一部がより高いコントラストを有することを可能にする一方で、同時に、表示層の前に配置された修正可能層によって表示層のいくつかの部分をユーザに対して隠すことが、可能である。
【００８３】
この発明に従ったそのような表示装置をドアまたはカバープレート内で使用することにより、多機能ドアを提供することが可能である。特に、クーラー用のこの発明に従った表示装置を含むドアまたはカバープレートを使用することにより、クーラーは透明なドアを有する従来のクーラーとして使用可能であり、または、そのようなクーラーのドア上で追加情報を顧客に提供することができる。
【００８４】
たとえば、修正可能層が透明であるかまたは不透明に切替えられる間、クーラー内の製品についての広告を示すことが可能である。第１の場合、表示装置上の表示された要素に加えて、クーラー内の製品が、顧客には見える。第２の場合、表示装置上の表示された要素だけが見え、一方、不透明な修正可能層は、クーラー内の製品が顧客に見えないようにする。
【００８５】
好ましくは、この発明に従った表示装置を使用すると、表示装置の一部が不透明になるように提供しつつ、表示装置の他の部分が透明なままであることが、可能であり得る。
【００８６】
代替例では、そのような修正可能層を透明表示層なしでクーラーのドアまたはカバープレート内で使用することも、有益である。これは、さまざまな状況に依存して、そのようなクーラー内の製品を顧客に見せるか否かを決めることを可能にする。
【００８７】
以下の説明では、添付図面に関する好ましい実施形態によって、この発明をより詳細に説明する。
【図面の簡単な説明】
【００８８】
【図１】この発明に従った一実施形態の透明ディスプレイの概略側面図である。
【図２】この発明に従った変化する透明度を提供するフィルムおよび／またはフォイルの概略側面図である。
【図３】この発明に従った透明表示装置を含むドアまたはカバープレートの概略側面図である。
【図４】この発明に従ったクーラーの概略図である。
【図５】この発明に従ったクーラーの概略斜視図である。
【図６】この発明に従った透明ディスプレイのさらに別の実施形態の概略側面図である。
【図７】この発明に従った透明ディスプレイのさらに別の実施形態の概略側面図である。
【図８】この発明に従った修正可能層の一実施形態の概略上面図である。
【図９】この発明に従った透明ディスプレイのさらに別の実施形態の概略側面図である。
【図１０】この発明に従ったＬＥＤレールを含む発光層の一実施形態の概略側面図である。
【図１１】この発明に従ったＬＥＤレールを含む発光層およびクーラードアのさらに別の実施形態の概略側面図である。
【発明を実施するための形態】
【００８９】
図１は、この発明に従った表示装置１の好ましい一実施形態を示す。図１に示す実施形態は可能な一例に過ぎないこと、およびこの発明に従った可能な表示装置の他の多くの構成があることは、当業者には明らかである。
【００９０】
図１の表示装置１は、透明表示層５を保護するための保護層３を含む。好ましくは、図１に示すように、保護層３は透明である。特に、保護層がガラスに含むかまたはガラスからなる場合、有利であり得る。有益な透明層は、少なくとも１つの透明薄膜トランジスタ表示ユニットおよび／または層、および／または、少なくとも１つの透明有機発光ダイオード表示ユニットおよび／または層を含むかまたはそれからなる。
【００９１】
さらに、透明表示層５の保護層３とは反対側に、修正可能層７が配置されている。
修正可能層７の透明表示層５とは反対側に、絶縁層９が配置されている。
【００９２】
その結果、表示装置１の層は、保護層３が第１の層、透明表示層５が第２の層、修正可能層７が第３の層、絶縁層９が第４の層という状態で互いに重なり合っている。
【００９３】
この好ましい実施形態は、修正可能層７の透明度を適合させることによって透明表示層５のコントラストを最適化することができる、という利点を提供する。
【００９４】
図２は、この発明に従った修正可能層７’の好ましい一実施形態の構成を示す。もちろん、そのような修正可能層の他のいくつかの構成が可能であることは、当業者には公知である。
【００９５】
修正可能層７’の例示的な構成は、インジウムスズ酸化物を含むかまたはそれからなる第１の層１１と、透明性変化層を含むかまたはそれからなり、好ましくはポリマーおよび／または液晶を含むかまたはそれからなる第２の層１３と、インジウムスズ酸化物を含む
かまたはそれからなる第３の層１５とを含み、第２の層１３は、第１の層１１と第３の層１５との間に配置されている。
【００９６】
インジウムスズ酸化物層１１、１５は、修正可能層７’が透明になるために、および第２の層１３の透明度を変化させるように電界を印加するために必要とされる透明電極を実現する可能性を提供する。
【００９７】
図３は、この発明に従った透明表示装置１’を含むドアまたはカバープレート１７の概略側面図を示す。
【００９８】
ドアまたはカバープレート１７は、フレーム１９を有する。特に、ドアまたはカバープレート１７は、表示装置１’上に表示される映像、画像、および／または技術情報、好ましくは温度（図示せず）を提供するように構成および適合された、少なくとも１つの媒体装置を含む。さらに、フレーム１９は表示装置１’を縁取っており、好ましくは、少なくとも１つのドアシール、少なくとも１つの照明装置、少なくとも１つの媒体装置、少なくとも１つのコンピュータ、および／または少なくとも１つの電源（図示せず）が、金属フレーム１９内に配置されている。
【００９９】
図４は、この発明に従ったクーラー２１の概略図を示す。クーラー２１は、フレーム１９’を有する少なくとも１つのドア１７’を含む。この好ましい実施形態では、クーラー２１のドア１７’は、この発明に従った表示装置１”を含む。
【０１００】
図４は、広告のために表示装置１”上に表示された透明な缶２３を例示的に示す。これらの缶は、クーラー２１の内部に配置された缶２５に加えて示される。クーラー２１の下方区域２７には、異なる動作モードが示される。この下方区域２７では、修正可能層（図示せず）は不透明に切替えられており、そのためクーラー内の缶は顧客には見えない。その代り、表示層上に表示された缶２３’は、缶２３よりも高いコントラストを有する。
【０１０１】
図５は、この発明に従ったクーラー２１’の概略斜視図を示す。クーラー２１’は、ハウジング２９と、修正可能層７’と、フレーム１９”と、表示層５”とを含む。さらに、フレーム１９”の近くにＬＥＤレール３１が配置されている。
【０１０２】
好ましくは、表示層５”は、１６８０×１０５０画素の解像度を提供する。さらに、この発明のこの好ましい実施形態では、修正可能層７’の透明から不透明への切替わり時間は、最大で１０ミリ秒である。
【０１０３】
ＬＥＤレール３１の助けにより、表示層５”および／または修正可能層７’は追加で照明され得る。それにより、特にフレーム１９’内に位置するＬＥＤレール３１を使用することが好ましい。
【０１０４】
図６は、この発明に従ったディスプレイ１'''の別の好ましい実施形態を示す。ディスプレイ１'''は、保護層３’が第１の層、表示層５”が第２の層、修正可能層７”が第３の層、絶縁層９’が第４の層、発光層３３が第５の層、別の修正可能層７'''が第６の層という状態で互いに重なり合っている層を含む。
【０１０５】
図７は、この発明に従ったディスプレイ１ＩＶの別の好ましい実施形態を示す。ディスプレイ１ＩＶは、保護層３’が第１の層、修正可能層７”が第２の層、表示層５”が第３の層、別の修正可能層７”が第４の層、発光層３３が第５の層、別の修正可能層７”が第６の層、絶縁層９’が第７の層という状態で互いに重なり合っている層を含む。
【０１０６】
図８は、この発明に従った修正可能層７'''の一実施形態の概略上面図を示す。修正可能層７'''は、例示的に４つの異なる区域３５に分割されている。そのような区域３５は好ましくは、より高い抵抗を有する区域の一部によって提供可能である。修正可能層のある区域がその透明度を変化させなければならない場合、印加電圧は、より高い抵抗を有する区域の一部上で降下し、したがって、電圧は次の区域を起動できないであろう。図８に示す実施形態では、区域３５の各々はその透明度を互いから独立して変化させることができる。これは、区域３５の透明度を変化させるための制御電圧を、修正可能層７'''の縁に、区域３５ごとに別々に印加することができるという事実による。
【０１０７】
図９は、この発明に従ったディスプレイ１Ｖの別の好ましい実施形態を示す。ディスプレイ１Ｖは、保護層３’が第１の層、表示層５”が第２の層、修正可能層７”が第３の層、発光層３３が第４の層、別の修正可能層７”が第５の層、絶縁層９’が第６の層という状態で互いに重なり合っている層を含む。代替例として、絶縁層９’は、別の保護層（図示せず）と置換え可能である。２本のＬＥＤレール３１’が、例示的に発光層３３のへりに配置され、発光層３３へと光を照射する。別のＬＥＤレール３１’が、絶縁層９に隣接して、特に直接接触して位置しており、または、代替例では、絶縁層９’を置換えるさらに別の保護層（図示せず）に隣接して位置する。
【０１０８】
図１０は、この発明に従ったＬＥＤレール３１’を含む発光層３３の一実施形態の概略側面図を示す。それにより、ＬＥＤレール３１’は、例示的に発光層３３のへりの１つの側に配置され、散光器として機能するように構成および適合された発光層３３へと光を照射する。ＬＥＤレール３１’が発光層３３のへりの他の部分にも配置できること、または発光層３３のへりの一部にのみ配置できることは、当業者には明らかである。
【０１０９】
図１１は、この発明に従ったＬＥＤレール３１’を含む発光層およびクーラードア１７”のさらに別の実施形態の概略側面図を示す。それにより、ＬＥＤレール３１’は、特にドア１７”が閉じた位置にある場合にクーラー２１’の方向に光を発するように、ドア１７”のフレーム１９”に、特にフレーム１９”のへりの近くに配置されている。
【０１１０】
上述の説明、請求項、および図面に開示されたこの発明の特徴は、その異なる実施形態においてこの発明を実現するために、個々に、およびそれらの可能なあらゆる組合せの両方で使用可能である。
【０１１１】
参照符号リスト
１、１’、１”、１'''、１ＩＶ、１Ｖ：表示装置、３、３’：保護層、５、５’、５”：表示層、７、７’、７”、７'''：修正可能層、９、９’：絶縁層、１１、１５：インジウムスズ酸化物層、１３：透明性変化層、１７、１７’、１７”：ドア、１９、１９’、１９”：フレーム、２１、２１’：クーラー、２３、２３’：透明な缶、２５：缶、２７：区域、２９：ハウジング、３１：ＬＥＤレール、３３：発光層、３５：区域。
【図１】
0006297547.tif 000002
【図２】
0006297547.tif 000003
【図３】
0006297547.tif 000004
【図４】
0006297547.tif 000005
【図５】
0006297547.tif 000006
【図６】
0006297547.tif 000007
【図７】
0006297547.tif 000008
【図８】
0006297547.tif 000009
【図９】
0006297547.tif 000010
【図１０】
0006297547.tif 000011
【図１１】
0006297547.tif 000012